【手続補正書】
【提出日】平成27年7月21日(2015.7.21)
【手続補正１】
【補正対象書類名】特許請求の範囲
【補正対象項目名】全文
【補正方法】変更
【補正の内容】
【特許請求の範囲】
【請求項１】
遊技を１回ずつ実行する遊技機において、
前記遊技において発生する結果に応じた演出を発生させるか否かの抽選に用いる演出抽選確率を記憶する演出抽選テーブルとして、
前記演出抽選確率が記憶されている発生テーブルと、
この発生テーブルに記憶されている演出抽選確率よりも低い演出抽選確率が記憶されている抑制テーブルとを有し、
前記演出抽選テーブルの演出抽選確率に基づいて演出を発生させるか否かの抽選をする演出発生抽選手段と、
前記演出発生抽選手段が前記抽選に用いる前記演出抽選テーブルとして前記発生テーブルを用いるか又は前記抑制テーブルを用いるかを決定するための抑制カウンタ値を記憶する抑制カウンタ記憶手段と、
前記抑制カウンタ値を設定する抑制カウンタ設定手段と、
前記抑制カウンタ値が所定の閾値を超えていれば前記演出発生抽選手段の抽選に用いる前記演出抽選テーブルとして前記抑制テーブルを選択するとともに前記抑制カウンタ値が前記閾値以下であれば前記発生テーブルを選択する演出抽選テーブル選択手段と
を備え、
前記抑制カウンタ設定手段は、
前記抑制カウンタ値に前記遊技において発生する結果に応じた新たな数値を設定するか否かを決定するための抑制カウンタ再設定決定手段と、
１回の遊技が行われる毎に前記閾値以下の値へ向かって前記抑制カウンタ値を所定の値だけ減算する抑制カウンタ減算手段と
を備え、
前記抑制カウンタ設定手段は、
前記抑制カウンタ再設定決定手段が前記抑制カウンタ値に新たな数値を設定すると決定した場合は、前記抑制カウンタ再設定決定手段により決定された新たな数値を、その後前記演出抽選テーブル選択手段が参照する際の前記抑制カウンタ値として設定し、
前記抑制カウンタ再設定決定手段は、
前記遊技において発生する結果が所定の結果であり、かつ、前記演出抽選テーブル選択手段が前記演出抽選テーブルとして前記発生テーブルを選択しているときには、前記抑制カウンタ値を変更しないと決定することを特徴とする遊技機。
【請求項２】
前記抑制カウンタ再設定決定手段は、
前記遊技において発生する結果が特定の結果であるときには、前記抑制カウンタ値を前記閾値以下に設定することを特徴とする請求項１に記載の遊技機。
【請求項３】
遊技を１回ずつ実行する遊技機において、
前記遊技において発生する結果に応じた演出を発生させるか否かの抽選に用いる演出抽選確率を記憶する演出抽選テーブルとして、
前記演出抽選確率が記憶されている発生テーブルと、
この発生テーブルに記憶されている演出抽選確率よりも低い演出抽選確率が記憶されている抑制テーブルとを有し、
前記演出抽選テーブルの演出抽選確率に基づいて演出を発生させるか否かの抽選をする演出発生抽選手段と、
前記演出発生抽選手段が前記抽選に用いる前記演出抽選テーブルとして前記発生テーブルを用いるか又は前記抑制テーブルを用いるかを決定するための抑制カウンタ値を記憶する抑制カウンタ記憶手段と、
前記抑制カウンタ値を設定する抑制カウンタ設定手段と、
前記抑制カウンタ値が所定の閾値未満であれば前記演出発生抽選手段の抽選に用いる前記演出抽選テーブルとして前記抑制テーブルを選択するとともに前記抑制カウンタ値が前記閾値以上であれば前記発生テーブルを選択する演出抽選テーブル選択手段と
を備え、
前記抑制カウンタ設定手段は、
前記抑制カウンタ値に前記遊技において発生する結果に応じた新たな数値を設定するか否かを決定するための抑制カウンタ再設定決定手段と、
１回の遊技が行われる毎に前記閾値以上の値へ向かって前記抑制カウンタ値を所定の値だけ加算する抑制カウンタ加算手段と
を備え、
前記抑制カウンタ設定手段は、
前記抑制カウンタ再設定決定手段が前記抑制カウンタ値に新たな数値を設定すると決定した場合は、前記抑制カウンタ再設定決定手段により決定された新たな数値を、その後前記演出抽選テーブル選択手段が参照する際の前記抑制カウンタ値として設定し、
前記抑制カウンタ再設定決定手段は、
前記遊技において発生する結果が所定の結果であり、かつ、前記演出抽選テーブル選択手段が前記演出抽選テーブルとして前記発生テーブルを選択しているときには、前記抑制カウンタ値を変更しないと決定することを特徴とする遊技機。
【請求項４】
前記抑制カウンタ再設定決定手段は、
前記遊技において発生する結果が特定の結果であるときには、前記抑制カウンタ値を前記閾値以上に設定することを特徴とする請求項３に記載の遊技機。
【手続補正２】
【補正対象書類名】明細書
【補正対象項目名】０００７
【補正方法】変更
【補正の内容】
【０００７】
上記の問題点に鑑み、本発明は、遊技者の遊技に対する興味を維持させることができるとともに、遊技者が抱く関心を高めることができる遊技機を提供することを目的とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
本発明は、遊技を１回ずつ実行する遊技機10において、前記遊技において発生する結果に応じた演出を発生させるか否かの抽選に用いる演出抽選確率を記憶する演出抽選テーブル230として、前記演出抽選確率が記憶されている発生テーブル232と、この発生テーブル232に記憶されている演出抽選確率よりも低い演出抽選確率が記憶されている抑制テーブル234とを有し、前記演出抽選テーブル230の演出抽選確率に基づいて演出を発生させるか否かの抽選をする演出発生抽選手段220と、前記演出発生抽選手段220が前記抽選に用いる前記演出抽選テーブル230として前記発生テーブル232を用いるか又は前記抑制テーブル234を用いるかを決定するための抑制カウンタ値を記憶する抑制カウンタ記憶手段240と、前記抑制カウンタ値を設定する抑制カウンタ設定手段245と、前記抑制カウンタ値が所定の閾値を超えていれば前記演出発生抽選手段220の抽選に用いる前記演出抽選テーブル230として前記抑制テーブル234を選択するとともに前記抑制カウンタ値が前記閾値以下であれば前記発生テーブル232を選択する演出抽選テーブル選択手段210とを備え、前記抑制カウンタ設定手段245は、前記抑制カウンタ値に前記遊技において発生する結果に応じた新たな数値を設定するか否かを決定するための抑制カウンタ再設定決定手段250と、１回の遊技が行われる毎に前記閾値以下の値へ向かって前記抑制カウンタ値を所定の値だけ減算する抑制カウンタ減算手段270とを備え、前記抑制カウンタ設定手段245は、前記抑制カウンタ再設定決定手段250が前記抑制カウンタ値に新たな数値を設定すると決定した場合は、前記抑制カウンタ再設定決定手段250により決定された新たな数値を、その後前記演出抽選テーブル選択手段210が参照する際の前記抑制カウンタ値として設定し、前記抑制カウンタ再設定決定手段250は、前記遊技において発生する結果が所定の結果であり、かつ、前記演出抽選テーブル選択手段210が前記演出抽選テーブル230として前記発生テーブル232を選択しているときには、前記抑制カウンタ値を変更しないと決定するものである。
【手続補正６】
【補正対象書類名】明細書
【補正対象項目名】００１１
【補正方法】変更
【補正の内容】
【００１１】
上記した発明では、抑制カウンタ再設定決定手段250が、抑制カウンタ値を遊技において発生する結果に応じた数値に設定する。また、抑制カウンタ減算手段270は、所定の場合に１回の遊技が行われる毎に抑制カウンタ値を所定の値だけ減算する。
【手続補正７】
【補正対象書類名】明細書
【補正対象項目名】００１２
【補正方法】変更
【補正の内容】
【００１２】
このため、遊技の回数に基づいて演出が発生し易くなる状態を生成し遊技者の興趣を維持することができる。さらに、演出が発生し易くなる状態を生成するまでの遊技回数と、遊技において発生する結果との関連づけをすることができる。このため、遊技者に対して、遊技において発生する結果が発生してから実際に演出が発生するまでの遊技の回数に関心を持たせることができ、遊技者の遊技に対する興味を維持させることができる。
【手続補正８】
【補正対象書類名】明細書
【補正対象項目名】００１３
【補正方法】変更
【補正の内容】
【００１３】
上記した発明では、抑制カウンタ再設定決定手段250は、遊技において発生する結果が所定の結果であり、かつ、演出抽選テーブル選択手段210が演出抽選テーブル230として発生テーブル232を選択しているときには、抑制カウンタ値を変更しないと決定する。
【手続補正９】
【補正対象書類名】明細書
【補正対象項目名】００１４
【補正方法】変更
【補正の内容】
【００１４】
このため、遊技において発生する結果が所定の結果であるときには演出が発生し易い状態が次回の遊技でも維持されることになる。つまり、複数回の遊技において演出が発生し易い状態を維持することとなる。これにより、１回の遊技における演出が発生した後も遊技者の関心を維持することができる。
【手続補正１０】
【補正対象書類名】明細書
【補正対象項目名】００１５
【補正方法】変更
【補正の内容】
【００１５】
また、上記した発明の具体的な構成として、前記抑制カウンタ再設定決定手段250は、遊技において発生する結果が特定の結果であるときには、抑制カウンタ値を閾値以下に設定するとしても良い。かかる構成によれば、遊技において発生する結果が特定の結果であるときには演出が発生し易い状態となり、特定の結果に対応する演出を適切な時期に発生させることができる。
【手続補正１１】
【補正対象書類名】明細書
【補正対象項目名】００１６
【補正方法】変更
【補正の内容】
【００１６】
また、本発明は、遊技を１回ずつ実行する遊技機10において、前記遊技において発生する結果に応じた演出を発生させるか否かの抽選に用いる演出抽選確率を記憶する演出抽選テーブル230として、前記演出抽選確率が記憶されている発生テーブル232と、この発生テーブル232に記憶されている演出抽選確率よりも低い演出抽選確率が記憶されている抑制テーブル234とを有し、前記演出抽選テーブル230の演出抽選確率に基づいて演出を発生させるか否かの抽選をする演出発生抽選手段220と、前記演出発生抽選手段220が前記抽選に用いる前記演出抽選テーブル230として前記発生テーブル232を用いるか又は前記抑制テーブル234を用いるかを決定するための抑制カウンタ値を記憶する抑制カウンタ記憶手段240と、前記抑制カウンタ値を設定する抑制カウンタ設定手段245と、前記抑制カウンタ値が所定の閾値未満であれば前記演出発生抽選手段220の抽選に用いる前記演出抽選テーブル230として前記抑制テーブル234を選択するとともに前記抑制カウンタ値が前記閾値以上であれば前記発生テーブル232を選択する演出抽選テーブル選択手段210とを備え、前記抑制カウンタ設定手段245は、前記抑制カウンタ値に前記遊技において発生する結果に応じた新たな数値を設定するか否かを決定するための抑制カウンタ再設定決定手段250と、１回の遊技が行われる毎に前記閾値以上の値へ向かって前記抑制カウンタ値を所定の値だけ加算する抑制カウンタ加算手段272とを備え、前記抑制カウンタ設定手段245は、前記抑制カウンタ再設定決定手段250が前記抑制カウンタ値に新たな数値を設定すると決定した場合は、前記抑制カウンタ再設定決定手段250により決定された新たな数値を、その後前記演出抽選テーブル選択手段210が参照する際の前記抑制カウンタ値として設定し、前記抑制カウンタ再設定決定手段250は、前記遊技において発生する結果が所定の結果であり、かつ、前記演出抽選テーブル選択手段210が前記演出抽選テーブル230として前記発生テーブル232を選択しているときには、前記抑制カウンタ値を変更しないと決定するとしても良い。
【手続補正１２】
【補正対象書類名】明細書
【補正対象項目名】００１７
【補正方法】変更
【補正の内容】
【００１７】
上記した発明では、抑制カウンタ再設定決定手段250が、抑制カウンタ値を遊技において発生する結果に応じた数値に設定する。また、抑制カウンタ加算手段272は、所定の場合に１回の遊技が行われる毎に抑制カウンタ値を所定の値だけ加算する。
【手続補正１３】
【補正対象書類名】明細書
【補正対象項目名】００１８
【補正方法】変更
【補正の内容】
【００１８】
このため、遊技の回数に基づいて演出が発生し易くなる状態を生成し遊技者の興趣を維持することができる。さらに、演出が発生し易くなる状態を生成するまでの遊技回数と、遊技において発生する結果との関連づけをすることができる。このため、遊技者に対して、遊技において発生する結果が発生してから実際に演出が発生するまでの遊技の回数に関心を持たせることができ、遊技者の遊技に対する興味を維持させることができる。
【手続補正１４】
【補正対象書類名】明細書
【補正対象項目名】００１９
【補正方法】変更
【補正の内容】
【００１９】
上記した発明では、抑制カウンタ再設定決定手段250は、遊技において発生する結果が所定の結果であり、かつ、演出抽選テーブル選択手段210が演出抽選テーブル230として発生テーブル232を選択しているときには、抑制カウンタ値を変更しないと決定する。
このため、遊技において発生する結果が所定の結果であるときには演出が発生し易い状態が次回の遊技でも維持されることになる。つまり、複数回の遊技において演出が発生し易い状態を維持することとなる。これにより、１回の遊技における演出が発生した後も遊技者の関心を維持することができる。
【手続補正１５】
【補正対象書類名】明細書
【補正対象項目名】００２０
【補正方法】変更
【補正の内容】
【００２０】
また、上記の具体的な構成として、抑制カウンタ再設定決定手段250は、遊技において発生する結果が特定の結果であるときには、抑制カウンタ値を閾値以上に設定するとしても良い。かかる構成によれば、遊技において発生する結果が特定の結果であるときには演出が発生し易い状態となり、特定の結果に対応する演出を適切な時期に発生させることができる。
【手続補正１６】
【補正対象書類名】明細書
【補正対象項目名】００２１
【補正方法】変更
【補正の内容】
【００２１】
なお、以上説明した各発明において、「遊技において発生する結果」とは、役抽選の結果、入賞判定の結果等、遊技の過程又は終了時において導出される種々の情報が含まれる。
【手続補正１７】
【補正対象書類名】明細書
【補正対象項目名】００２２
【補正方法】変更
【補正の内容】
【００２２】
また、「特定の結果」とは、たとえば遊技者への利益付与の可能性が高い遊技結果である。具体的にはボーナスとの重複当選が設定されて、ボーナスの当選も期待されるチェリーの当選のようなものが含まれる。
【手続補正１８】
【補正対象書類名】明細書
【補正対象項目名】００２３
【補正方法】変更
【補正の内容】
【００２３】
本発明によれば、遊技者の遊技に対する興味を維持させることができるとともに、遊技者が抱く関心を高めることができる遊技機を提供することができる。
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】